(57)【要約】【課題】  セットレバーが誤った位置にある場合の記録紙ロールユニットの装填及び取り出しを防止する。【解決手段】  セットレバー１９は、セットレバー本体１９ａと、つまみ部１９ｂとからなり、セットレバー本体１９ａとつまみ部１９ｂとにより略Ｌ字形状に形成されている。セットレバー本体１９ａの一端はガイド板３２に設けた軸４２に回動自在に取り付けられている。他端にはセットレバー本体１９ａに対して略垂直につまみ部１９ｂが延設されている。つまみ部１９ｂには、記録紙ロールユニット１３の端面に向けてに突出した突起部４３が設けられている。この突起部４３は、記録紙ロールユニット１３がケース本体２１に収納された後、セットレバー１９をセット位置まで移動させると、ギア３９の頂上部の上方に位置する。【選択図】        図３
2005219900.tif 000002
【特許請求の範囲】
【請求項１】
長尺の記録紙を巻き芯にロール状に巻き回した記録紙ロールとそのロールの両端に取り付けられ回転軸を備えたロールホルダとからなる記録紙ロールユニットが着脱自在に装填され、装填時に前記記録紙ロールユニットを回転可能に支持するロール収納室と、前記記録紙の先端を前記記録紙ロールの外周面から分離させる先端分離板を含み、この先端分離板が前記外周面と当接する当接位置と前記外周面から離れる退避位置との間で移動自在に設けられた記録紙送り出し機構と、この記録紙送り出し機構と連動し、前記記録紙送り出し機構を前記当接位置にセットするセット位置と、前記退避位置に移動するセット解除位置との間で移動自在に設けられたセットレバーとを備えた給紙装置において、
前記セットレバーがセット位置にある時に、前記記録紙ロールユニットの装填経路内に進入して、前記記録紙ロールユニットが既に装填済みの場合にはその取り出しを、未装填の場合にはその装填を阻止する誤操作阻止部材を、前記セットレバーに設けたことを特徴とする給紙装置。
【請求項２】
前記誤操作阻止部材は、前記ロールホルダとの干渉により誤操作を阻止することを特徴とする請求項１記載の給紙装置。
【発明の詳細な説明】
【技術分野】
【０００１】
本発明は、給紙装置に関し、更に詳しくは、感熱記録紙や印画紙などのロール状の記録紙を交換可能に収納する給紙装置に関するものである。
【背景技術】
【０００２】
特許文献１にはプリンタ等に用いられる給紙装置が提案されている。この給紙装置は、長尺の記録紙を巻き芯にロール状に巻き回した記録紙ロールと、そのロールの両端に取り付けられ回転軸を備えたロールホルダとからなる記録紙ロールユニットを収納し、記録紙をプリンタ内に送り出すものであり、この記録紙ロールユニットを収納するケース本体と蓋とから構成されている。ケース本体には給紙ローラが組み込まれている。給紙ローラは、プリンタ側から駆動されて回転し、記録紙を給紙装置からプリンタ内に送り出す。また、ケース本体には、記録紙の送り出しを確実にするために複数の押さえローラや、記録紙の先端を記録紙ロールの外周面から分離させる先端分離板などが設けられている。このように、給紙ローラ、押さえローラ、先端分離板などにより、記録紙をプリンタ内に確実に送り出すための記録紙送り出し機構が構成されている。
【０００３】
記録紙送り出し機構は、ケース本体に記録紙ロールユニットが装填された後に、記録紙送り出し機構に連結されているセットレバーを操作することによって、記録紙の外周にそれぞれが当接するように移動する。セットレバーは、記録紙送り出し機構を記録紙ロールの外周に圧接させる圧接位置にセットするセット位置と、記録紙送り出し機構を記録紙ロールから離れた退避位置に移動するセット解除位置との間を移動する。すなわち、ケース本体に装填されている記録紙ロールの装填及び取り出しは、セットレバーをセット解除位置に移動させてから行われる。
【０００４】
【特許文献１】特開２００３−２４６５０９号公報
【発明の開示】
【発明が解決しようとする課題】
【０００５】
しかしながら、上述した給紙装置では、ケース本体から記録紙ロールユニットを取り出すときに、セットレバーをセット位置からセット解除位置に移動させずに取り出そうとした場合、記録紙ロールユニットが記録紙送り出し機構にぶつかってしまい、記録紙送り出し機構だけでなく、これらに接続されている部品や、給紙装置内部に設置されている部品などを破損させてしまうという問題があった。また、セットレバーがセット位置にあるにもかかわらず、誤って記録紙ロールユニットをケース本体に装填しようとした場合にも、やはり給紙装置内部の各種部品を破損させてしまうという問題が発生する。
【０００６】
本発明は上記課題を解決するためになされたもので、セットレバーが誤った位置にある場合の記録紙ロールユニットの装填及び取り出しを防止することができる給紙装置を提供することを目的とする。
【課題を解決するための手段】
【０００７】
上記目的を達成するために、本発明の給紙装置は、長尺の記録紙を巻き芯にロール状に巻き回した記録紙ロールとそのロールの両端に取り付けられ回転軸を備えたロールホルダとからなる記録紙ロールユニットが着脱自在に装填され、装填時に前記記録紙ロールユニットを回転可能に支持するロール収納室と、前記記録紙の先端を前記記録紙ロールの外周面から分離させる先端分離板を含み、この先端分離板が前記外周面と当接する当接位置と前記外周面から離れる退避位置との間で移動自在に設けられた記録紙送り出し機構と、この記録紙送り出し機構と連動し、前記記録紙送り出し機構を前記当接位置にセットするセット位置と、前記退避位置に移動するセット解除位置との間で移動自在に設けられたセットレバーとを備えたものであり、前記セットレバーがセット位置にある時に、前記記録紙ロールユニットの装填経路内に進入して、前記記録紙ロールユニットが既に装填済みの場合にはその取り出しを、未装填の場合にはその装填を阻止する誤操作阻止部材を、前記セットレバーに設けたことを特徴とする。
【０００８】
また、前記誤操作阻止部材は、前記ロールホルダとの干渉により誤操作を阻止することが好ましい。
【発明の効果】
【０００９】
本発明の給紙装置は、セットレバーがセット位置にある時に、記録紙ロールユニットの装填経路内に進入して、記録紙ロールユニットが既に装填済みの場合にはその取り出しを、未装填の場合にはその装填を阻止する誤操作阻止部材を、前記セットレバーに設けたので、記録紙ロールユニットの取り出しや装填に伴う給紙装置内部に設置されている部品の破損を防止することができる。特に、記録紙送り出し機構を構成している先端分離板の破損を防止することができる。
【発明を実施するための最良の形態】
【００１０】
本発明に係る給紙装置を給紙マガジンとして説明する。給紙マガジンは、プリンタのマガジン装填室にセットして用いられる。その給紙マガジンは、プリンタ側から駆動が伝達されることで記録紙をプリンタ内に送り出す給紙機能と、収納した記録紙を保護するための遮光性及び気密性を高める機能とを持っている。
【００１１】
図１及び図２に示すように、給紙マガジン１０は、外形は矩形な直方体の形状をしており、マガジン１０内に収納される記録紙ロールユニット１３、給紙ローラ１４、分離部１５、ガイド部材１６、記録紙送り出し機構１７、ローラ移動機構１８、及びセットレバー１９などで構成されている。
【００１２】
記録紙ロールユニット１３は、交換される記録紙ロール２０とロールホルダ２１、２２とからなる。記録紙ロール２０は、断面中空筒状の巻き芯２３に記録紙２４を巻いた形態となっている。
【００１３】
ロールホルダ２１、２２は、巻き芯２３の両側に着脱自在に取り付けられる。ロールホルダ２１、２２には、巻き芯２３の両側端の開口にそれぞれ挿入されるドラム部２５、２６が設けられている。ドラム部２５、２６にはそれぞれ、円盤状のフランジ２５ａ、２６ａが一体に形成されている。また、ドラム部２５、２６には外方に突出した軸２７、２８が設けられている。軸２７には、プリンタ側からの駆動が伝達されるギア２９が設けられている。
【００１４】
ドラム部２５、２６は、巻き芯２３の内周に接して巻き芯２３を支持する。記録紙ロール２０の両側端はフランジ２５ａ、２６ａに挟まれた状態となり、記録紙ロール２０は所定位置に保持される。軸２７、２８は、ドラム部２５、２６を支持するとともに、ドラム部２５、２６から突出した部位が後述する軸受け部３３に支持される。
【００１５】
ドラム部２５、２６には一方向クラッチが内蔵されている。一方向クラッチは、記録紙ロール２０を送り出し方向に回転させるときに軸２７、２８とドラム部２５、２６との駆動伝達を断ち、記録紙２４を巻き取る巻き取り方向に回転させるときに軸２７、２８とドラム部２５、２６との駆動伝達を行う。これにより、給紙時には、軸２７、２８とドラム部２５、２６とがフリーとなり、記録紙ロール２０を給紙ローラ１４のみによって送り出し方向に回転させる。そして、巻き取り時には、一方のロールホルダ２１の軸２７に設けたギア２９にプリンタ側からの駆動が伝達されて記録紙ロール２０を巻き取り方向に回転させる。
【００１６】
給紙マガジン１０は、蓋３０とケース本体（ロール収納室）３１とからなる。ケース本体３１には、一対のガイド板３２が所定間隔離して取り付けられている。一対のガイド板３２には、対向する面に、Ｕ字状の軸受け部３３がそれぞれ取り付けられている。軸受け部３３は、開放側を上に向けた姿勢となっている。一対の軸受け部３３には、記録紙ロールユニット１３の両端に張り出した軸２７，２８が挿入される。これにより、記録紙ロールユニット１３が一対のガイド板３２の間に収納される。記録紙ロールユニット１３は、記録紙ロール２０を有している。
【００１７】
蓋３０は、ケース本体３１にヒンジ３５を介して開閉自在に取り付けられており、ケース本体３１の開口部を覆う。蓋３０には、ケース本体３１の開口部と接合される部位に、内部を気密にするためのパッキンが取り付けられている。
【００１８】
記録紙送り出し機構１７は、記録紙２４をプリンタ内に確実に送り出すためのものであり、給紙ローラ１４、第１、第２押さえローラ３６，３７、及び分離部１５とから構成されている。給紙ローラ１４は、記録紙ロール２０を送り出し方向に回転させるためのものであり、記録紙ロール２０の外周に当接する当接位置とこれから離れる退避位置との間で移動自在に設けられており、セットレバー１９の操作に連動して移動する。給紙ローラ１４は、図示しないバネによって記録紙ロール２０の中心方向に付勢されており、当接位置にある場合、記録紙ロール２０のロール径の変化に追従して記録紙ロール２０の外周に接するように移動する。給紙ローラ１４には、図示しない伝達機構を介してプリンタ側から駆動力が伝達されるようになっている。なお、プリンタ側の給紙ローラ１４への駆動系には一方向クラッチが配されており、給紙時に駆動力を給紙ローラ１４に伝達し、巻き取り時には駆動伝達を解除して給紙ローラ１４をフリーにする。
【００１９】
第１、第２押さえローラ３６，３７は、記録紙ロール２０の外周のうちの給紙ローラ１４が当接する位置を挟んだ両側で圧接するようにそれぞれ設けられている。また、ローラ３６，３７は、記録紙ロール２０の外周に当接する当接位置とこれから離れる退避位置との間で移動するように設けられており、セットレバー１９の操作に連動して移動する。さらに、第１、第２押さえローラ３６，３７は、図示しないバネによって記録紙ロール２０の中心方向に付勢されており、当接位置にある場合、記録紙ロール２０のロール径の変化に追従して記録紙ロール２０の外周に接するように移動する。
【００２０】
分離部１５は、分離板３８と分離板位置決め用ローラ３９とで構成されている。分離板３８は、記録紙ロール２０の先端を掬って記録紙ロール２０の外周面から分離させるためのものである。記録紙ロール２０の外周に当接する当接位置とこれから退避する退避位置との間で移動自在に設けられている。
【００２１】
分離板位置決め用ローラ３９は、分離板３８の先端を当接位置に位置決めするためのものである。分離板位置決め用ローラ３９は、記録紙ロール２０の外周のうちの分離板３８が当接する位置よりも記録紙の送り出し方向に所定距離離れた位置に、分離板３８と一緒に移動するように設けられており、記録紙ロール２０に接触したときに分離板３８の先端を当接位置に位置決めされる。また、分離板位置決め用ローラ３９は、記録紙ロール２０の外周に当接する当接位置とこれから離れる退避位置との間で移動自在に設けられており、セットレバー１９の操作に連動して移動する。さらに、分離板位置決め用ローラ３９は、図示しないバネによって記録紙ロール２０の中心方向に付勢されており、当接位置にある場合、記録紙ロール２０のロール径の変化に追従して記録紙ロール２０の外周に接するように移動する。なお、分離板３８は、分離板位置決め用ローラ３９に連結されており、分離板位置決め用ローラ３９の移動に連動して変位する。
【００２２】
ローラ移動機構１８は、ケース本体３１内に設けたセットレバー１９の操作に連動して給紙ローラ１４を移動させるとともに、セットレバー１９の操作に連動して第１、第２押さえローラ３６，３７も移動させる。また、分離部１５も一緒に移動させる。セットレバー１９は、蓋３０を開けることで露呈され、給紙ローラ１４、第１、第２押さえローラ３６，３７、分離部１５とを当接位置に移動させ、給紙可能な状態にセットするセット位置と（図３参照）、これらを退避位置に移動させるセット解除位置（図４参照）との二位置の間で操作される。記録紙ロール２０を取り出すときには、セットレバー１９をセット解除位置に操作して各ローラ１４，３６，３７を退避位置に退避してから取り出す。なお、ローラ移動機構１８をセットレバー１９の操作に連動させて、記録紙送り出し機構１７を移動させる方法としては、例えば、特開２００３−２４６５０９号公報に記載されているように、ローラ移動機構１８とセットレバー１９とをリンク機構で連結する方法など、公知の方法を適用することができる。
【００２３】
ケース本体３１の底には、記録紙２４の出入り口となる送出口４０が形成されている。送出口４０には、遮蔽蓋４１が取り付けられている。遮蔽蓋４１は、送出口４０を遮蔽する遮蔽位置と開く開き位置との間で開閉し、通常はバネ（不図示）により遮蔽位置に向けて付勢されている。この遮蔽蓋４１は、プリンタ側の駆動部材によって給紙時に押圧されて開き位置に移動する。
【００２４】
ガイド部材１６は、分離板３８で分離された記録紙２４の先端を送出口４０に向けてガイドする。
【００２５】
図３に示すように、セットレバー１９は略Ｌ字形状に形成されており、セットレバー本体１９ａと、オペレータによって握持されるつまみ部１９ｂとからなる。セットレバー本体１９ａの一端は、ガイド板３２に設けた軸４２に回動自在に取り付けられており、他端には、セットレバー本体１９ａに対して略垂直につまみ部１９ｂが延設されている。つまみ部１９ｂには、記録紙ロールユニット１３の端面に向けて突出した突起部（誤操作阻止部材）４３が設けられている。この突起部４３は、セットレバー１９がセット位置にある時には、装填された記録紙ロールユニット１３のギア２９の頂上部の上方に位置する。
【００２６】
また、図４に示すように、セットレバー１９は、記録紙ロールユニット１３を装填したり、取り出したりするときに記録紙ロールユニット１３のギア２９が通る範囲Ａの外に位置しているセット解除位置まで軸４２を中心にして回動するようにガイド板３２に組み付けられている。このようにセットレバー１９は、セット位置とセット解除位置との間で移動自在となっている。記録紙ロールユニット１３が給紙マガジン１０にセットされている場合、セットレバー１９をセット位置からセット解除位置まで移動させることにより記録紙ロールユニット１３の取り出しが可能となる。
【００２７】
次に上記構成の作用を説明する。記録紙ロールユニット１３を組み立てる場合には、巻き芯２３の両端の開口にロールホルダ２１、２２のドラム部２５、２６を挿入する。挿入後には、ロールホルダ２１、２２の軸２７、２８を持って給紙マガジン１０にセットする。
【００２８】
記録紙ロールユニット１３を給紙マガジン１０にセットするにあたって、まず給紙マガジン１０の蓋３０を開け、図５に示すように、セットレバー１９をセット解除位置に操作する。そして記録紙ロールユニット１３の両軸２７、２８を軸受け部３３に挿入する。挿入後、セットレバー１９をセット位置に操作する。これにより退避位置に位置していた記録紙送り出し機構１７が当接位置に移動する。また、セットレバー１９の突起部４３は、記録紙ロールユニット１３のギア２９の頂上部の上方に位置する。その後、蓋３０を閉めることで給紙マガジン１０への記録紙ロールユニット１３の装填作業が完了する。
【００２９】
給紙マガジン１０にセットされている記録紙ロールユニット１３を給紙マガジン１０から取り出す場合には、まず給紙マガジン１０の蓋３０を開け、図４に示すように、セットレバー１９をセット解除位置に操作する。これにより当接位置に位置していた記録紙送り出し機構１７が退避位置に移動する。また、セットレバー１９の突起部４３が、記録紙ロールユニット１３を取り出すときにギア２９が通る経路外、すなわち図４に示す範囲Ａの外に退避する。このような状態になった後に給紙マガジン１０から記録紙ロールユニット１３を取り出す。
【００３０】
記録紙送り出し機構１７が当接位置にあるときに、給紙マガジン１０に収納されている記録紙ロールユニット１３を取り出そうとした場合、突起部４３とギア２９とが干渉するため記録紙ロールユニット１３を取り出すことはできない。つまり、記録紙ロールユニット１３を取り出すにあたって、図３に示すように、セットレバー１９が正しくない位置、すなわちセット位置にある場合には、セットレバー１９の突起部４３が、記録紙ロールユニット１３を取り出すときに記録紙ロールユニット１３のギア２９が通る経路内に進入しているため、セットレバー１９の突起部４３が記録紙ロールユニット１３のギア２９と干渉して、記録紙ロールユニット１３の取り出しを阻止する。
【００３１】
これにより給紙マガジン１０から記録紙ロールユニット１３を取り出すときにセットレバー１９をセット解除位置に操作するのを忘れた場合、給紙マガジン１０から記録紙ロールユニット１３を取り出すことができないので、記録紙送り出し機構１７、また、記録紙送り出し機構１７に接続されている部品や、給紙マガジン１０内に設置されている部品などの破損を防止することができる。
【００３２】
また、図６に示すように、記録紙送り出し機構１７が当接位置にあるときに、記録紙ロールユニット１３を給紙マガジン１０に装填しようとした場合、記録紙ロールユニット１３のギア２９とセットレバー１９の突起部４３とが干渉してしまうので、記録紙ロールユニット１３を給紙マガジン１０に装填することはできない。つまり、記録紙ロールユニット１３を給紙マガジン１０に装填するにあたって、セットレバー１９が正しくない位置、すなわちセット位置にある場合には、セットレバー１０の突起部４３が、記録紙ロールユニット１３を給紙マガジン１０に装填するときに記録紙ロールユニット１３のギア２９が通る経路上に進入しているため、セットレバー１９の突起部４３が障害物となり、記録紙ロールユニット１３の給紙マガジン１０への装填を阻止する。
【００３３】
これにより記録紙ロールユニット１３を給紙マガジン１０に装填するときにセットレバー１９をセット解除位置に操作するのを忘れた場合、記録紙ロールユニット１３を給紙マガジン１０に装填することができないので、記録紙送り出し機構１７、記録紙送り出し機構１７に接続されている部品や、給紙マガジン１０内に設置されている部品などの破損を防止することができる。
【００３４】
上記実施形態では、略Ｌ字状に形成されたセットレバー１９を用いて、つまみ部１９ｂに突起部４３を設け、この突起部４３を記録紙ロールユニット１３のギア２９と干渉させるようにしたが、セットレバー１９の形態はこれに限ることなく、例えば、図７に示すように、屈曲して形成されたセットレバー本体５０ａと、つまみ部５０ｂと、セットレバー本体５０ａの途中から内方に向けて垂直に突出した突起部５０ｃとからセットレバー５０を構成しても良い。セットレバー本体５０ａの一端はガイド板３２に設けた軸５１に回動自在に取り付けられ、他端につまみ部５０ｂが設けられている。図７に示すように、セットレバー５０がセット位置に操作された場合、突起部５０ｃは軸２７の頂上部の上方に位置する。
【００３５】
また、図８に示すように、セットレバー５０は、記録紙ロールユニット１３を装填したり、取り出したりするときに、記録紙ロールユニット１３の軸２７が通る範囲Ｂの外に位置しているセット解除位置まで軸５１を中心にして回動するように設けられている。セットレバー５０をセット位置からセット解除位置にまで回動させることにより記録紙ロールユニット１３の取り出しが可能となる。
【００３６】
このように、突起部５０ｃを軸２７と干渉させることにより、上記実施形態と同様にして記録紙ロールユニット１３の装填と取り出しについての規制を行うことができる。また、軸２７以外にも突起部５０ｃを記録紙ロールユニット１３の一部と干渉するように構成しても良く、突起部５０ｃを係合させる部位は適宜変更可能である。
【図面の簡単な説明】
【００３７】
【図１】本発明の給紙装置を用いた給紙マガジンの概略断面図である。
【図２】記録紙ロールユニットの分解斜視図である。
【図３】セットレバーをセット位置にして記録紙ロールユニットをセットした状態の給紙マガジンを示す概略断面図及び側面図である。
【図４】セットレバーをセット解除位置にして記録紙ロールユニットを取り出すときの給紙マガジンを示す概略断面図及び側面図である。
【図５】セットレバーをセット解除位置にして記録紙ロールユニットを給紙マガジンに装填するときの給紙マガジンを示す概略断面図及び側面図である。
【図６】セットレバーがセット位置にあるときに記録紙ロールユニットを給紙マガジンに装填しようとした場合の給紙マガジンを示す概略断面図及び側面図である。
【図７】別の形態のセットレバーを用いた給紙マガジンを示す概略断面図である。
【図８】図７に示すセットレバーをセット解除位置に移動させた場合の給紙マガジンを示す概略断面図である。
【符号の説明】
【００３８】
１０    給紙マガジン
１３    記録紙ロールユニット
１４    給紙ローラ
１５    分離部
１７    記録紙送り出し機構
１９、５０    セットレバー
２０    記録紙ロール
２１、２２    ロールホルダ
２４    記録紙
３１    ケース本体
３６    第１押さえローラ
３７    第２押さえローラ
３８    分離板
３９    分離板位置決め用ローラ
４３、５０ｃ    突起部（誤操作阻止部材）
【図１】
2005219900.tif 000003
【図２】
2005219900.tif 000004
【図３】
2005219900.tif 000005
【図４】
2005219900.tif 000006
【図５】
2005219900.tif 000007
【図６】
2005219900.tif 000008
【図７】
2005219900.tif 000009
【図８】
2005219900.tif 000010